Podtech/llm-jp-corpus-v4-ja_patent huggingface dataset:
【手続補正書】
【提出日】平成22年10月21日(2010.10.21)
【手続補正１】
【補正対象書類名】特許請求の範囲
【補正対象項目名】全文
【補正方法】変更
【補正の内容】
【特許請求の範囲】
【請求項１】
破壊装置がフレーム、工具および衝撃装置を含み、該衝撃装置は衝撃要素を有し、該衝撃要素によって圧搾応力パルスを前記工具に生成し、該工具を破壊対象物へ伝達し、
外周および内周を有する少なくとも１つの軸受けブッシングを前記工具の周囲に配設し、
前記軸受けブッシングを前記工具の周囲の環状軸受けスペースに非可動に取り付け、
前記工具を前記軸受けブッシングの内周上の摺動面によって軸受けに取り付ける、破壊装置の工具を軸受けにより取り付ける方法において、該方法は、
前記軸受けブッシングの外径と前記軸受けスペースの直径との間に隙間係合を行ない、
前記軸受けブッシングおよび前記軸受けスペースの直径の相互の寸法決めから生じる力の影響なしに、該軸受けブッシングを該軸受けスペースの定位置に軸方向に挿入し、
前記軸受けブッシングを、前記破壊装置の使用中は、実質的に非可動に軸方向に固定して、前記工具が圧搾応力パルスを受け、それによって該工具内の応力波が該工具の表面に垂直な運動を生成し、該運動が前記軸受けブッシングへ伝達されて、該軸受けブッシングを塑性変形させ、該軸受けブッシングを前記軸受けスペース内の定位置に固定させることを特徴とする破壊装置の工具の軸受けによる取付け方法。
【請求項２】
請求項１に記載の方法において、
前記工具側のフレームの下端部に軸受けスペースを前記フレームの下部の外面へ連結して配設し、
最下部軸受けブッシングを前記フレームの分解なしに前記軸受けスペース内の定位置に下から押し込んで配設することを特徴とする取付け方法。
【請求項３】
請求項１または２に記載の方法において、
前記工具側のフレームの下端部には軸受けスペースを前記フレーム下部の外面へ連結して配設し、
長尺状のブッシングフレームを有する工具用ブッシングを前記スペースに配設し、前記工具を少なくとも１つの固定部材によって非可動に固定し、
軸受けブッシングを前記ブッシングフレームの軸受けスペース内に配設することを特徴とする取付け方法。
【請求項４】
請求項１、２または３に記載の方法において、前記軸受けブッシングが前記軸受けスペースから軸方向に飛び出すのを少なくとも１つの予備固定部材によって防止することを特徴とする取付け方法。
【請求項５】
請求項４に記載の方法において、プラスチック材で製造した予備固定部材によって前記軸受けブッシングを定位置に軸方向に事前固定することを特徴とする取付け方法。
【請求項６】
フレームと、
衝撃要素を有し、圧搾応力パルスを生成する衝撃装置と、
前記衝撃要素の延長部に配設され、前記圧搾応力パルスを応力波として破壊対象物へ伝達する工具と、
軸受けスペース内の前記工具の周囲に配設された少なくとも１つの軸受けブッシングとを含み、該軸受けブッシングは、軸受け材料で形成され、これによって前記工具用のすべり軸受けを軸方向に可動に形成する破壊装置において、該装置は、
前記軸受けブッシングの外径と前記軸受けスペースの直径との間に隙間係合が行なわれ、
前記軸受けブッシングは変形可能軸受け材料で形成され、
前記軸受けブッシングは、取り付け後に前記軸受けスペースから軸方向に飛び出すのを防止され、
前記工具内の応力波と該応力波による前記工具の表面の垂直方向の運動とによって前記軸受けブッシングが軸受けスペースに押圧されて変形すると、前記破壊装置の使用中は該軸受けブッシングが前記軸受けスペース内の定位置に固定されることを特徴とする破壊装置。
【請求項７】
請求項６に記載の破壊装置において、前記軸受けブッシングは、取り付け後に前記軸受けスペースから軸方向に飛び出すのを少なくとも１つの予備固定部材によって防止されることを特徴とする破壊装置。
【請求項８】
請求項７に記載の破壊装置において、前記予備固定部材は軽量材料で作られ、該材料の密度は3000 kg/m3以下であること特徴とする破壊装置。
【請求項９】
請求項６ないし８のいずれかに記載の破壊装置において、
該破壊装置は工具用ブッシングを含み、該ブッシングは、該破壊装置のフレームへ取り付け可能な独立部品であり、
前記工具用ブッシングは、外周および内周を有する長尺状のブッシングフレームを含み、
前記ブッシングフレームの内周は前記軸受けスペースとして働き、該スペースに前記軸受けブッシングが配設されることを特徴とする破壊装置。
【請求項１０】
請求項６ないし８のいずれかに記載の破壊装置において、前記軸受けスペースは前記破壊装置のフレームに直接形成されていることを特徴とする破壊装置。
【請求項１１】
請求項６ないし10のいずれかに記載の破壊装置において、前記軸受けブッシングは軸受け青銅で形成されていることを特徴とする破壊装置。
【請求項１２】
請求項６ないし11のいずれかに記載の破壊装置において、該破壊装置は破砕ハンマであることを特徴とする破壊装置。
【請求項１３】
請求項６ないし11のいずれかに記載の破壊装置において、該破壊装置は削岩機であることを特徴とする破壊装置。
【請求項１４】
内周および外周、ならびに第１の端部および第２の端部を有する長尺状部品であるブッシングフレームと、
該ブッシングフレームの内周上のその第１の端部部分に配設された肩と、
前記ブッシングフレームの外周上にあって、工具用ブッシングを破砕ハンマのフレームに保持ピンによって固定する少なくとも１つの交差方向の固定溝と、
すべり軸受け材料で製造された長尺状部品であり、内周および外周を有する少なくとも１つの軸受けブッシングとを含み、
前記ブッシングフレームの内周は軸受けスペースを形成し、該スペースに前記軸受けブッシングが配設されている破壊装置の工具用ブッシングにおいて、該ブッシングは、
前記軸受けブッシングの外径と前記軸受けスペースとの間に隙間があり、これによって該軸受けブッシングは、前記ブッシングフレームによって妨げられることなく、軸方向に前記肩向かって、またこれから離れて移動可能であり、
該工具用ブッシングは、少なくとも１つの固定手段を有し、これによって前記軸受けブッシングが前記ブッシングフレームから軸方向に飛び出すのを防止し、
前記軸受けブッシングは変形性材料で形成され、これによって前記破壊装置の使用中に変形して前記軸受けスペース内に非可動に固定されることを特徴とする工具用ブッシング。
【請求項１５】
請求項14に記載の工具用ブッシングにおいて、前記固定手段は、プラスチック材料で製造された少なくとも１つの予備固定部材を含むことを特徴とする工具用ブッシング。
【手続補正２】
【補正対象書類名】明細書
【補正対象項目名】００１３
【補正方法】変更
【補正の内容】
【００１３】
本発明の一実施例の概念は、軸受けブッシングが軸受け青銅で作られていることにある。軸受け青銅は、破壊装置のすべり軸受けとして用いるのによく適している。なぜなら、これは応力波の影響により比較的容易に変形するが、なお十分な降伏強度を有し、変形によってブッシングに圧搾応力が生じ、それによって軸受けブッシングと軸受けスペースとの間の摩擦で軸受けスペース内の定位置に軸受けブッシングを保持するからである。さらに、軸受け青銅の利点は、何かの理由で軸受けブッシングと工具との間に潤滑膜がなくなっても、短時間の乾燥使用に損傷せずに耐えることにある。
【手続補正書】
【提出日】平成21年12月15日(2009.12.15)
【手続補正１】
【補正対象書類名】特許請求の範囲
【補正対象項目名】全文
【補正方法】変更
【補正の内容】
【特許請求の範囲】
【請求項１】
箱状の筐体に、コインを通過させるための孔部が穿設された遊技機において、
前記筐体に固定される固定部と、
前記孔部を閉塞可能な大きさを有し、前記固定部に支持されて前記孔部を閉塞する閉塞
位置及び前記孔部を開放する開放位置のいずれか一方に選択的に移動可能な蓋部とを有す
る開閉蓋を備えたことを特徴とする遊技機。
【請求項２】
前記開閉蓋は、前記蓋部を閉塞位置に係止する第１係止手段を有することを特徴とする請求項１に記載の遊技機。
【請求項３】
前記開閉蓋は、前記蓋部を開放位置に係止する第２係止手段を有することを特徴とする請求項１又は２に記載の遊技機。
【手続補正２】
【補正対象書類名】明細書
【補正対象項目名】００１４
【補正方法】削除
【補正の内容】
【手続補正３】
【補正対象書類名】明細書
【補正対象項目名】００１６
【補正方法】削除
【補正の内容】
【手続補正４】
【補正対象書類名】明細書
【補正対象項目名】００１７
【補正方法】変更
【補正の内容】
【００１７】
本発明は、孔部が開放された状態での紛失を防ぎ、コイン自動補給装置の有無に応じて
孔部を開閉可能な閉塞蓋を有する遊技機を提供することにある。
【手続補正５】
【補正対象書類名】明細書
【補正対象項目名】００１８
【補正方法】変更
【補正の内容】
【００１８】
上記課題を解決する請求項１に記載の発明による遊技機は、箱状の筐体に、コインを通過させるための孔部が穿設された遊技機において、筐体に固定される固定部と、孔部を閉塞可能な大きさを有し、固定部に支持されて孔部を閉塞する閉塞位置及び孔部を開放
する開放位置のいずれか一方に選択的に移動可能な蓋部とを有する開閉蓋を備えたことを
特徴とする
【手続補正書】
【提出日】平成21年11月30日(2009.11.30)
【手続補正１】
【補正対象書類名】特許請求の範囲
【補正対象項目名】全文
【補正方法】変更
【補正の内容】
【特許請求の範囲】
【請求項１】
洗濯物を収納する内槽と、前記内槽を回転自在に収納する外槽と、前記内槽を回転駆動する第１の駆動源と、乾燥運転時に前記洗濯物から発生する糸くず等を捕獲する防塵フィルターと、前記防塵フィルターに摺接して、捕獲された前記糸くず等を除去する除塵体を有し、前記除塵体を、前記第１の駆動源と異なる第２の駆動源で駆動するようにした洗濯乾燥機。
【請求項２】
外槽の内壁に防塵フィルター及び除塵体を配した請求項１に記載の洗濯乾燥機。
【請求項３】
第２の駆動源として、モーターを使用する請求項１又は２に記載の洗濯乾燥機。
【請求項４】
防塵フィルターと、除塵体と、第２の駆動源とが予め１つのユニット部品として組み立てられてある請求項１〜３のいずれか１項に記載の洗濯乾燥機。
【請求項５】
乾燥運転終了後所定時間内に、自動的に除塵体を駆動するようにした請求項１〜４のいずれか１項に記載の洗濯乾燥機。
【請求項６】
除塵体に付着した糸くず等を除去するくしを防塵フィルターの近傍に設けた請求項１〜５のいずれか１項に記載の洗濯乾燥機。
【手続補正２】
【補正対象書類名】明細書
【補正対象項目名】００１８
【補正方法】変更
【補正の内容】
【００１８】
第４の発明は、特に、第１〜３のいずれか一つの発明の防塵フィルターと、除塵体と、第２の駆動源とが予め１つのユニット部品として組み立てられてあるもので、防塵フィルター、除塵体、第２の駆動源の洗濯乾燥機本体への取り付けや交換が容易になると共に、機能上関連する部品がユニット化されているので、メンテナンスや故障診断が容易になる。
【手続補正３】
【補正対象書類名】明細書
【補正対象項目名】００１９
【補正方法】変更
【補正の内容】
【００１９】
第５の発明は、特に、第１〜４のいずれか一つの発明の洗濯乾燥機において、乾燥運転終了後所定時間内に、自動的に除塵体を駆動するようにしたもので、乾燥運転終了後所定時間内は、防塵フィルターで捕獲された糸くず等は、まだ新しいので、除塵体で容易に、且つ確実に除去することが出来、糸くず等が防塵フィルターの目に付着したまま残ることが無い。
【手続補正４】
【補正対象書類名】明細書
【補正対象項目名】００２０
【補正方法】変更
【補正の内容】
【００２０】
第６の発明は、特に、第１〜５いずれか一つの発明の除塵体に付着した糸くず等を除去するくしを防塵フィルターの近傍に設けたもので、除塵体を常にきれいな状態に維持できるので、防塵フィルターに付着した糸くず等を確実に除去することができる。
【手続補正書】
【提出日】平成21年11月18日(2009.11.18)
【手続補正１】
【補正対象書類名】特許請求の範囲
【補正対象項目名】全文
【補正方法】変更
【補正の内容】
【特許請求の範囲】
【請求項１】
所定の契機により、遊技者に有利な特別遊技状態を発生させるか否かの当否抽選を行う抽選手段と、
前記当否抽選により当選結果が得られた場合に前記特別遊技状態を発生させる特別遊技状態制御手段と、
表示演出を行う表示演出手段と、
少なくとも前記当否抽選の結果に基づき、前記表示演出の演出態様を決定する演出決定手段と、
前記演出決定手段により決定された演出態様の表示演出を前記表示演出手段にて実行させる表示演出制御手段とを備えた遊技機において、
前記表示演出制御手段により実行される表示演出の履歴情報を記憶する履歴記憶手段と、
前記履歴情報を表示可能な履歴表示手段と、
前記履歴表示手段の表示制御を行う履歴表示制御手段とを備えたことを特徴とする遊技機。
【請求項２】
所定の操作手段を備え、
前記履歴表示制御手段は、前記操作手段の操作に基づき前記履歴表示手段にて前記履歴情報を表示させることを特徴とする請求項１に記載の遊技機。
【請求項３】
前記演出決定手段により決定された演出態様に対応する指令情報を前記表示演出制御手段に対し出力する指令情報出力手段を備え、
前記表示演出制御手段は、入力した前記指令情報に対応する演出態様の表示演出を実行する構成であって、
前記履歴記憶手段は、少なくとも前記履歴情報として前記指令情報を記憶することを特徴とする請求項１又は２に記載の遊技機。
【手続補正書】
【提出日】平成21年11月12日(2009.11.12)
【手続補正１】
【補正対象書類名】特許請求の範囲
【補正対象項目名】全文
【補正方法】変更
【補正の内容】
【特許請求の範囲】
【請求項１】
配線接続部に接続された配線を介して電力の受入、電力の供給、信号の入力、又は信号の出力を行う制御装置を備えた遊技機において、
前記配線接続部からの前記配線の取り外しを抑制する第１抑制手段と、
前記制御装置から離間された設置部に取り付けられ、前記配線を拘束するとともにその拘束状態の解除に際して少なくとも一部の切断又は破壊を要する拘束手段と、
当該拘束手段の前記設置部からの取り外しを抑制する第２抑制手段と
を備えていることを特徴とする遊技機。
【請求項２】
前記拘束手段は、前記配線を拘束するとともにその拘束状態の解除に際して切断又は破壊を要する拘束具と、当該拘束具を保持するとともに拘束状態の解除に際して切断又は破壊された拘束具の少なくとも一部を取り外し困難な状態で保持する保持手段とを備えていることを特徴とする請求項１に記載の遊技機。
【請求項３】
前記拘束具は、一方の端部に係止部を有する拘束バンドであり、
前記保持手段は、
前記拘束バンドを挿通させるバンド挿通部、及び前記係止部が挿し込まれるとともにその挿し込まれた係止部を引き抜き困難な状態で係止する係止受け部を有し、前記係止受け部にて前記係止部が係止された状態では前記拘束バンドの前記係止受け部から前記バンド挿通部にわたる部分とともに拘束環状部を形成するベースブロックと、
前記拘束環状部を縮小する方向への前記拘束バンドの移動は許容するがその逆への移動は阻止する逆移動阻止手段と
を備え、
前記拘束環状部を形成した状態において前記拘束バンドの前記係止部側とは反対側の引張端部を引っ張ることにより、前記拘束環状部が縮小され前記配線が拘束されることを特徴とする請求項２に記載の遊技機。
【請求項４】
前記ベースブロックは合成樹脂製であり、
前記逆移動阻止手段は、前記ベースブロックの前記設置部に対面する底部に取り付けられるとともに、その取り外し方向への移動が規制された逆移動阻止金具であり、
前記逆移動阻止金具を前記ベースブロックと前記設置部とにより被包するとともに、前記第２抑制手段により前記ベースブロックの前記設置部からの取り外しを抑制したことを特徴とする請求項３に記載の遊技機。
【請求項５】
前記逆移動阻止金具を前記設置部に当接又は略当接させたことを特徴とする請求項４に記載の遊技機。
【請求項６】
前記第２抑制手段は、前記ベースブロックに設けられた鉤部であり、
当該鉤部を前記設置部に形成された鉤用孔に挿し込むことにより、当該鉤部の先端が前記設置部の裏面に当接又は略当接して前記ベースブロックの前記設置部からの取り外し方向の移動が解除困難な状態で規制され、
さらに、前記逆移動阻止手段は、前記ベースブロックの前記設置部に対面する底部に取り付けられるとともに、その取り外し方向への移動が規制された逆移動阻止金具であり、
当該逆移動阻止金具により、前記鉤部と前記鉤用孔との間の隙間を前記設置部の裏面に向けた異物の侵入を阻止するように塞いだことを特徴とする請求項３乃至５のいずれか１に記載の遊技機。
【請求項７】
配線接続部に接続された配線を介して電力の受入、電力の供給、信号の入力、又は信号の出力を行う制御装置を備えた遊技機において、
前記制御装置から離間された設置部に取り付けられ、前記配線を拘束するとともにその拘束状態の解除に際して少なくとも一部の切断又は破壊を要する拘束手段と、
当該拘束手段の前記設置部からの取り外しを抑制する抑制手段と
を備えていることを特徴とする遊技機。
【請求項８】
前記拘束手段は、前記配線を拘束するとともにその拘束状態の解除に際して切断又は破壊を要する拘束具と、当該拘束具を保持するとともに拘束状態の解除に際して切断又は破壊された拘束具の少なくとも一部を取り外し困難な状態で保持する保持手段とを備えていることを特徴とする請求項７に記載の遊技機。
【請求項９】
前記拘束具は、一方の端部に係止部を有する拘束バンドであり、
前記保持手段は、
前記拘束バンドを挿通させるバンド挿通部、及び前記係止部が挿し込まれるとともにその挿し込まれた係止部を引き抜き困難な状態で係止する係止受け部を有し、前記係止受け部にて前記係止部が係止された状態では前記拘束バンドの前記係止受け部から前記バンド挿通部にわたる部分とともに拘束環状部を形成するベースブロックと、
前記拘束環状部を縮小する方向への前記拘束バンドの移動は許容するがその逆への移動は阻止する逆移動阻止手段と
を備え、
前記拘束環状部を形成した状態において前記拘束バンドの前記係止部側とは反対側の引張端部を引っ張ることにより、前記拘束環状部が縮小され前記配線が拘束されることを特徴とする請求項８に記載の遊技機。
【請求項１０】
前記ベースブロックは合成樹脂製であり、
前記逆移動阻止手段は、前記ベースブロックの前記設置部に対面する底部に取り付けられるとともに、その取り外し方向への移動が規制された逆移動阻止金具であり、
前記逆移動阻止金具を前記ベースブロックと前記設置部とにより被包するとともに、前記抑制手段により前記ベースブロックの前記設置部からの取り外しを抑制したことを特徴とする請求項９に記載の遊技機。
【請求項１１】
前記逆移動阻止金具を前記設置部に当接又は略当接させたことを特徴とする請求項１０に記載の遊技機。
【請求項１２】
前記抑制手段は、前記ベースブロックに設けられた鉤部であり、
当該鉤部を前記設置部に形成された鉤用孔に挿し込むことにより、当該鉤部の先端が前記設置部の裏面に当接又は略当接して前記ベースブロックの前記設置部からの取り外し方向の移動が解除困難な状態で規制され、
さらに、前記逆移動阻止手段は、前記ベースブロックの前記設置部に対面する底部に取り付けられるとともに、その取り外し方向への移動が規制された逆移動阻止金具であり、
当該逆移動阻止金具により、前記鉤部と前記鉤用孔との間の隙間を前記設置部の裏面に向けた異物の侵入を阻止するように塞いだことを特徴とする請求項９乃至１１のいずれか１に記載の遊技機。
【手続補正書】
【提出日】平成22年1月13日(2010.1.13)
【手続補正１】
【補正対象書類名】特許請求の範囲
【補正対象項目名】全文
【補正方法】変更
【補正の内容】
【特許請求の範囲】
【請求項１】
記録信号に応じてインクを吐出するインクジェット記録ヘッドの記録素子基板であって、
供給された電圧パルスを熱エネルギに変換するヒータを第１の方向に複数配列して構成されるヒータ群の複数と、
前記複数のヒータのそれぞれを、前記記録信号に応じて前記電圧パルスを供給することで駆動するための電気回路と、
を表面に備え、
該表面から該表面とは反対側にある裏面に貫通し、前記ヒータ群のそれぞれに隣接して配置され、複数の前記ヒータにインクを供給する、複数のインク供給口を有し、
前記ヒータ群は前記表面において前記第１の方向に互いに一定量の第１の隙間領域を隔てて複数配置され、前記電気回路の少なくとも一部が前記第１の隙間領域に配置されていることを特徴とする記録素子基板。
【請求項２】
前記電気回路は、前記複数のヒータのそれぞれへの前記電圧パルスの供給をオン／オフするための複数のスイッチングトランジスタと、前記記録信号を前記複数のヒータの位置に対応させて一時的に記憶するためのレジスタと、当該記憶された記憶信号に応じて前記スイッチングトランジスタの作動を制御するための制御回路素子と、を少なくとも備え、前記レジスタが前記第１の隙間領域に配置されていることを特徴とする請求項１に記載の記録素子基板。
【請求項３】
前記電気回路は、前記制御回路素子に入力される信号波形を整えるバッファ素子を更に備え、該バッファ素子が更に前記第１の隙間領域に配置されていることを特徴とする請求項２に記載の記録素子基板。
【請求項４】
前記電気回路は、前記記録素子基板の温度を検知するための温度検知素子を更に備え、該温度検知素子が更に前記第１の隙間領域に配置されていることを特徴とする請求項２に記載の記録素子基板。
【請求項５】
前記複数のインク供給口は、前記第１の方向に互いに一定量の第２の隙間領域を隔てて配置されていることを特徴とする請求項１乃至４のいずれかに記載の記録素子基板。
【請求項６】
前記第２の隙間領域に対応する前記裏面には、複数の前記インク供給口を互いに分断するように前記記録素子基板の梁構造が設けられていることを特徴とする請求項５に記載の記録素子基板。
【請求項７】
前記第１の方向における前記第１の隙間領域の幅と前記ヒータ群の幅とは、ほぼ等しいことを特徴とする請求項１乃至６のいずれかに記載の記録素子基板。
【請求項８】
前記第１の方向における前記第１の隙間領域の幅と前記第２の隙間領域の幅とは、ほぼ等しいことを特徴とする請求項５又は請求項６に記載の記録素子基板。
【請求項９】
前記第１の方向において、複数の前記ヒータ群が連続するように、前記第１の方向とは交差する第２の方向に並列して配置される、請求項１乃至８のいずれかに記載の２枚の記録素子基板と、
前記２枚の記録素子基板のそれぞれの前記表面に設けられ、前記インク供給口から供給されたインクを前記複数のヒータのそれぞれに導いて、前記ヒータの発熱から生じる発泡エネルギによりインクを吐出するための複数の液路が形成されたノズル材と、
外部から受信した前記記録信号を前記２枚の記録素子基板の前記電気回路に送信するための電気回路基板と、
前記裏面から、前記２枚の記録素子基板の前記複数のインク供給口に共通してインクを供給するためのインク共通液室と、
を備えることを特徴とするインクジェット記録ヘッド。
【手続補正２】
【補正対象書類名】明細書
【補正対象項目名】００１４
【補正方法】変更
【補正の内容】
【００１４】
そのために本発明は、記録信号に応じてインクを吐出するインクジェット記録ヘッドの記録素子基板であって、供給された電圧パルスを熱エネルギに変換するヒータを第１の方向に複数配列して構成されるヒータ群の複数と、前記複数のヒータのそれぞれを、前記記録信号に応じて前記電圧パルスを供給することで駆動するための電気回路と、を表面に備え、該表面から該表面とは反対側にある裏面に貫通し、前記ヒータ群のそれぞれに隣接して配置され、複数の前記ヒータにインクを供給する、複数のインク供給口を有し、前記ヒータ群は前記表面において前記第１の方向に互いに一定量の第１の隙間領域を隔てて複数配置され、前記電気回路の少なくとも一部が前記第１の隙間領域に配置されていることを特徴とする。
【手続補正３】
【補正対象書類名】明細書
【補正対象項目名】００１５
【補正方法】変更
【補正の内容】
【００１５】
また、前記第１の方向において、複数の前記ヒータ群が連続するように、前記第１の方向とは交差する第２の方向に並列して配置される、前記２枚の記録素子基板と、前記２枚の記録素子基板のそれぞれの前記表面に設けられ、前記インク供給口から供給されたインクを前記複数のヒータのそれぞれに導いて、前記ヒータの発熱から生じる発泡エネルギによりインクを吐出するための複数の液路が形成されたノズル材と、外部から受信した前記記録信号を前記２枚の記録素子基板の前記電気回路に送信するための電気回路基板と、前記裏面から、前記２枚の記録素子基板の前記複数のインク供給口に共通してインクを供給するためのインク共通液室と、を備えることを特徴とする。
【手続補正書】
【提出日】平成21年11月18日(2009.11.18)
【手続補正１】
【補正対象書類名】特許請求の範囲
【補正対象項目名】全文
【補正方法】変更
【補正の内容】
【特許請求の範囲】
【請求項１】
所定の契機に基づいて遊技者にとって有利な特別遊技状態を発生させるか否かの抽選を行う抽選手段と、
複数の識別情報列においてそれぞれ複数種類の識別情報を変動表示可能な可変表示手段と、
前記抽選の結果に基づき前記各識別情報列において停止表示された複数の識別情報が特定の組合せとなった場合に前記特別遊技状態を発生させる特別遊技状態発生手段とを備えた遊技機であって、
前記各識別情報列に個々に対応した記憶領域を有し、当該各記憶領域に前記識別情報を特定可能な特定値を記憶する特定値記憶手段と、
前記特定値記憶手段に記憶された特定値を参酌し、当該特定値に対応する識別情報を前記可変表示手段にて停止表示する識別情報として決定する識別情報決定手段と、
前記各識別情報列に対応した各特定値を、所定範囲内で周期的に所定値ずつ順次変化させることにより、新たな値に更新する第１更新手段と、
前記各識別情報列に対応した各特定値を、前記各識別情報列に個々に対応して取得した複数の乱数値を基に新たな値に更新する第２更新手段と、
前記第１更新手段による更新結果と、前記第２更新手段による更新結果とを切替えて前記各特定値として出力する切替え出力手段とを備えたことを特徴とする遊技機。
【請求項２】
前記切替え出力手段は、前記第１更新手段による更新結果と、前記第２更新手段による更新結果とを不規則に切替えて出力することを特徴とする請求項１に記載の遊技機。
【請求項３】
複数ビットよりなる一次乱数値を生成する乱数生成手段と、
前記一次乱数値から前記各識別情報列に個々に対応した所定ビット分の値を抽出し、当該値を前記各識別情報列に個々に対応した複数の二次乱数値として取得する乱数取得手段とを備え、
前記第２更新手段は、前記各識別情報列に対応した各特定値を、対応する前記二次乱数値を基に新たな値に更新すること特徴とする請求項１又は２に記載の遊技機。
【請求項４】
前記乱数生成手段は、予め定められた生成多項式を用いて前記一次乱数値を生成することを特徴とする請求項３に記載の遊技機。
【手続補正書】
【提出日】平成21年11月18日(2009.11.18)
【手続補正１】
【補正対象書類名】特許請求の範囲
【補正対象項目名】全文
【補正方法】変更
【補正の内容】
【特許請求の範囲】
【請求項１】
所定の契機に基づいて遊技者にとって有利な特別遊技状態を発生させるか否かの抽選を行う抽選手段と、
複数の識別情報列においてそれぞれ複数種類の識別情報を変動表示可能な可変表示手段と、
前記抽選の結果に基づき前記各識別情報列において停止表示された複数の識別情報が特定の組合せとなった場合に前記特別遊技状態を発生させる特別遊技状態発生手段とを備えた遊技機であって、
前記各識別情報列に個々に対応した記憶領域を有し、当該各記憶領域に前記識別情報を特定可能な特定値を記憶する特定値記憶手段と、
前記特定値記憶手段に記憶された特定値を参酌し、当該特定値に対応する識別情報を前記可変表示手段にて停止表示する識別情報として決定する識別情報決定手段と、
前記各識別情報列に個々に対応して複数の乱数値を取得する乱数取得手段と、
前記各識別情報列に対応した各特定値を、対応する前記乱数値を基に新たな値に更新する更新手段とを備え、
定期的に実行される所定のループ処理を一回実行する間に、前記複数の識別情報列に対応する全ての特定値を更新することを特徴とする遊技機。
【請求項２】
所定の契機に基づいて遊技者にとって有利な特別遊技状態を発生させるか否かの抽選を行う抽選手段と、
複数の識別情報列においてそれぞれ複数種類の識別情報を変動表示可能な可変表示手段と、
前記抽選の結果に基づき前記各識別情報列において停止表示された複数の識別情報が特定の組合せとなった場合に前記特別遊技状態を発生させる特別遊技状態発生手段とを備えた遊技機であって、
前記各識別情報列に個々に対応した記憶領域を有し、当該各記憶領域に前記識別情報を特定可能な特定値を記憶する特定値記憶手段と、
前記特定値記憶手段に記憶された特定値を参酌し、当該特定値に対応する識別情報を前記可変表示手段にて停止表示する識別情報として決定する識別情報決定手段と、
複数ビットよりなる一次乱数値を生成する乱数生成手段と、
前記一次乱数値から前記各識別情報列に個々に対応した所定ビット分の値を抽出し、当該値を前記各識別情報列に個々に対応した複数の二次乱数値として取得する乱数取得手段と、
前記各識別情報列に対応した各特定値を、対応する前記二次乱数値を基に新たな値に更新する更新手段とを備え、
定期的に実行される所定のループ処理を一回実行する間に、前記複数の識別情報列に対応する全ての特定値を更新することを特徴とする遊技機。
【請求項３】
前記抽選の結果に対応した複数の前記特定値記憶手段を備えるとともに、
前記更新手段により更新された新たな特定値の組合せが前記抽選のいかなる結果に対応したものかを判別する対応関係判別手段と、
前記対応関係判別手段による判別結果に応じて、前記更新手段により更新された新たな特定値の組合せを記憶すべき前記特定値記憶手段を選択する選択手段とを備え、
前記識別情報決定手段は、停止表示する識別情報の決定に際し、前記複数の特定値記憶手段のうち、前記抽選の結果に対応する所定の特定値記憶手段を参酌することを特徴とする請求項１又は２に記載の遊技機。
【手続補正書】
【提出日】平成22年10月18日(2010.10.18)
【手続補正１】
【補正対象書類名】特許請求の範囲
【補正対象項目名】全文
【補正方法】変更
【補正の内容】
【特許請求の範囲】
【請求項１】
高-ｋケイ酸塩堆積法であって、連続して、
（ａ）少なくとも１枚の基板をチャンバ内に位置決めするステップと、
（ｂ）該少なくとも１枚の基板を高-ｋ前駆体にさらすステップと、
（ｃ）該少なくとも１枚の基板を第１の触媒浸漬液にさらすステップと、
（ｄ）該少なくとも１枚の基板を第１の酸化源にさらすステップと、
（ｅ）該少なくとも１枚の基板をシリコン前駆体にさらすステップと、 
（ｆ）該少なくとも１枚の基板を第２の触媒浸漬液にさらすステップと、次いで
（ｇ）該少なくとも１枚の基板を第２の酸化源にさらすステップと、
を含む、前記方法。
【請求項２】
該第１の触媒浸漬液及び第２の触媒浸漬液に用いられる触媒が、ピリジン及びアンモニアからなる群より選ばれる、請求項１に記載の方法。
【請求項３】
（ｂ）-（ｇ）を１回以上繰り返すステップを更に含む、請求項１に記載の方法。
【請求項４】
該第１の触媒浸漬液及び第２の触媒浸漬液に用いられる触媒が、同一である、請求項１に記載の方法。
【請求項５】
該シリコン前駆体が、ヘキサクロロジシランを含み、該第１の触媒浸漬液及び第２の触媒浸漬液が該触媒としてピリジンを含む、請求項１に記載の方法。
【請求項６】
該シリコン前駆体がテトラキスエトキシシランを含み、該第１の触媒浸漬及び第２の触媒浸漬が該触媒としてアンモニアを含む、請求項１に記載の方法。
【請求項７】
高-ｋケイ酸塩堆積法であって、連続して、
（ａ）少なくとも１枚の基板をチャンバ内に位置決めするステップと、
（ｂ）該少なくとも１枚の基板を高-ｋ前駆体にさらすステップと、
（ｃ）該少なくとも１枚の基板を第１の酸化源と第１の触媒にさらすステップであって、該第１の触媒と該第１の酸化源が、別々の入口を通してチャンバ内に流れる、前記ステップと、
（ｄ）該少なくとも１枚の基板をシリコン前駆体にさらし、次いで、
（ｅ）該少なくとも１枚の基板を第２の酸化源と第２の触媒にさらすステップであって、該第２の触媒と該第２の酸化源が、別々の入口を通してチャンバ内に流れる、前記ステップと、
を含む、前記方法。
【請求項８】
該第１の触媒及び第２の触媒が、ピリジン及びアンモニアからなる群より選ばれる、請求項７に記載の方法。
【請求項９】
該シリコン前駆体が、ヘキサクロロジシラン及びテトラキスエトキシシランからなる群より選ばれる、請求項１または７に記載の方法。
【請求項１０】
該少なくとも１枚の基板をパージガスにさらすステップを更に含む、請求項１または７に記載の方法。
【請求項１１】
該高-ｋ前駆体が、ＴＤＭＡＨ、ＴＥＭＡＨ、ＴＤＥＡＨ、及びＨｆＣｌ４からなる群より選ばれたハフニウム前駆体である、請求項１または７に記載の方法。
【請求項１２】
（ｂ）-（ｅ）を１回以上繰り返すステップを更に含む、請求項７に記載の方法。
【請求項１３】
該第１酸化源及び第２の酸化源が、Ｈ２Ｏ、Ｏ３、Ｏ２、又は活性酸素からなる群より選ばれる、請求項１または７に記載の方法。
【請求項１４】
該シリコン前駆体が、ヘキサクロロジシランを含み、該第１の触媒及び第２の触媒が、ピリジンを含む、請求項７に記載の方法。
【請求項１５】
該シリコン前駆体が、テトラキスエトキシシランを含み、該第１の触媒及び第２の触媒がアンモニアを含む、請求項７に記載の方法。
【請求項１６】
ケイ酸ハフニウム堆積法であって、連続して、
少なくとも１枚の基板をチャンバ内に位置決めするステップと、
該少なくとも１枚の基板をハフニウム前駆体にさらすステップと、
該少なくとも１枚の基板を水とピリジンにさらすステップであって、該水とピリジンが、別々の入口を通してチャンバ内に流れる、前記ステップと、
該少なくとも１枚の基板をヘキサクロロジシランにさらすステップと、次いで、
該少なくとも１つの基板を水とピリジンにさらすステップであって、該水とピリジンが別々の入口を通してチャンバ内に流れる、前記ステップと、
を含む前記方法。
【手続補正書】
【提出日】平成21年12月1日(2009.12.1)
【手続補正１】
【補正対象書類名】特許請求の範囲
【補正対象項目名】全文
【補正方法】変更
【補正の内容】
【特許請求の範囲】
【請求項１】
パチンコ島設備に設置される外枠と、該外枠の前面一側に外枠側ヒンジ機構によって開閉可能に装着され、かつ、遊技盤を装着する遊技盤装着枠が形成されている本体枠と、該本体枠の前面一側に本体枠側ヒンジ機構によって開閉可能に装着され、かつ、前記遊技盤の遊技領域を遊技者が透明板を介して視認可能な開口窓が形成されている前面枠と、前記開口窓の下方に配置され、遊技結果によって払い出される遊技球を貯留する貯留皿と、を備えるパチンコ機であって、
前記前面枠は、少なくとも、
前記開口窓の周囲に、発光ダイオードが内部に複数配置されたサイド装飾装置
を複数備え、
前記貯留皿の左右両側部には、少なくとも、
前記サイド装飾装置に複数配置された前記発光ダイオードの発した光を取り入れて発光する発光部が設けられていることを特徴とするパチンコ機。
【請求項２】
前記発光部は、前記サイド装飾装置に複数配置された前記発光ダイオードの発した光を拡散させる凹凸状の拡散面が設けられていることを特徴とする請求項１に記載のパチンコ機。
【請求項３】
請求項１に記載のパチンコ機であって、
光を拡散させる凹凸状の拡散部が設けられている拡散本体に、予め定めた間隔ごとにスリットが設けられて前記拡散本体が区画形成されている拡散ユニット
を備え、
前記拡散ユニットは、前記発光部に挿入されていることを特徴とするパチンコ機。
【手続補正２】
【補正対象書類名】明細書
【補正対象項目名】００２０
【補正方法】変更
【補正の内容】
【００２０】
本発明の請求項１においては、配線の引き回し作業による断線を防止することができる。請求項２においては、発光ダイオードの発した光を広範囲に拡散することができ、発光部全体を発光させることができる。請求項３においては、拡散ユニットとして発光部と別体で作成することによって、例えば、拡散部の拡散具合を調べるときには、大掛かりな固定ジグ等が必要でなくなり、机上で容易に行うことができる。
【手続補正書】
【提出日】平成21年11月20日(2009.11.20)
【手続補正１】
【補正対象書類名】特許請求の範囲
【補正対象項目名】全文
【補正方法】変更
【補正の内容】
【特許請求の範囲】
【請求項１】
各々を識別可能な複数種類の識別情報の可変表示を行い表示結果を導出表示する可変表示装置を備え、該可変表示装置に特定表示結果が導出表示されたときに遊技者にとって有利な特定遊技状態に移行させるとともに、所定の移行条件が成立したときに該特定遊技状態が終了したのちに通常状態であるときに比べて識別情報の可変表示の表示結果が前記特定表示結果となりやすい特別遊技状態に移行させる遊技機であって、
少なくとも日または時刻のいずれか一方を特定可能に計時動作を実行する計時手段と、
遊技演出を実行する遊技演出実行手段と、
前記計時手段による計時結果が所定の条件を満たしたことにもとづいて、前記遊技演出実行手段が実行する遊技演出を所定の演出態様の遊技演出に変更させる演出態様変更手段と、
遊技状態が前記特別遊技状態であるか否かを判定する遊技状態判定手段とを備え、
前記遊技演出実行手段は、遊技状態が前記特別遊技状態であるか否かを認識不能な演出態様で遊技演出を実行可能であり、
前記演出態様変更手段は、前記遊技演出実行手段によって遊技状態が前記特別遊技状態であるか否かを認識不能な演出態様で遊技演出が実行されているときに、前記遊技状態判定手段によって遊技状態が前記特別遊技状態ではないと判定されたことを条件に、前記遊技演出実行手段が実行する遊技演出を前記所定の演出態様のうちの第１演出態様の遊技演出に変更させ、前記遊技状態判定手段によって遊技状態が前記特別遊技状態であると判定されたことを条件に、前記遊技演出実行手段が実行する遊技演出を前記所定の演出態様のうちの第２演出態様の遊技演出に変更させる
ことを特徴とする遊技機。
【請求項２】
遊技者の操作に応じて操作信号を出力する操作手段を備え、
演出態様変更手段は、前記操作手段から前記操作信号を入力したことを条件に、遊技演出実行手段が実行する遊技演出を第２演出態様の遊技演出に変更させる
請求項１記載の遊技機。
【請求項３】
各々を識別可能な複数種類の識別情報の可変表示を行い表示結果を導出表示する可変表示装置を備え、該可変表示装置に特定表示結果が導出表示されたときに遊技者にとって有利な特定遊技状態に移行させるとともに、所定の移行条件が成立したときに該特定遊技状態が終了したのちに通常状態であるときに比べて識別情報の可変表示の表示結果が前記特定表示結果となりやすい特別遊技状態に移行させる遊技機であって、
少なくとも日または時刻のいずれか一方を特定可能に計時動作を実行する計時手段と、
遊技演出を実行する遊技演出実行手段と、
前記計時手段による計時結果が所定の条件を満たしたことにもとづいて、前記遊技演出実行手段が実行する遊技演出を所定の演出態様の遊技演出に変更させる演出態様変更手段と、
遊技状態が前記特別遊技状態であるか否かを判定する遊技状態判定手段とを備え、
前記遊技演出実行手段は、遊技状態が前記特別遊技状態であるか否かを認識不能な演出態様で遊技演出を実行可能であり、
前記演出態様変更手段は、前記遊技演出実行手段によって遊技状態が前記特別遊技状態であるか否かを認識不能な演出態様で遊技演出が実行されているときに、前記遊技状態判定手段によって遊技状態が前記特別遊技状態であると判定されたことを条件に、前記遊技演出実行手段が実行する遊技演出を前記所定の演出態様の遊技演出に変更させる
ことを特徴とする遊技機。
【請求項４】
計時手段による計時結果が所定の条件が到来する以前に到来する特定条件を満たすか否かを判定する特定条件判定手段と、
前記特定条件判定手段によって前記特定条件を満たすと判定されたときに、遊技演出実行手段に、遊技状態が特別遊技状態であるか否かを認識不能な演出態様の遊技演出の実行を開始させる認識不能演出開始手段とを備えた
請求項１から請求項３のうちのいずれかに記載の遊技機。
【請求項５】
遊技の進行を制御する遊技制御手段と、
前記遊技制御手段がコマンドラインを介して送信するコマンドにもとづいて演出装置の制御を行う演出制御手段とを備え、
前記演出制御手段は、前記コマンドラインに所定の外部装置が接続されているときに、前記外部装置から前記コマンドラインを介して入力した外部コマンドにもとづいて、計時手段が計時動作に用いる基準データを設定する基準データ設定手段を含む
請求項１から請求項４のうちのいずれかに記載の遊技機。
【手続補正２】
【補正対象書類名】明細書
【補正対象項目名】００１４
【補正方法】削除
【補正の内容】
【手続補正３】
【補正対象書類名】明細書
【補正対象項目名】００２０
【補正方法】削除
【補正の内容】
【手続補正４】
【補正対象書類名】明細書
【補正対象項目名】００２１
【補正方法】変更
【補正の内容】
【００２１】
請求項５記載の発明によれば、演出制御手段が、コマンドラインに所定の外部装置が接続されているときに、外部装置からコマンドラインを介して入力した外部コマンドにもとづいて、計時手段が計時動作に用いる基準データを設定する基準データ設定手段を含むように構成されているので、計時手段の計時動作にずれが生じたときに時刻の再設定を行えるようにすることができる。例えば、計時手段が計時する時間にもとづいて複数の遊技機で一斉に演出を実行する場合に、遊技機が搭載する各基板の汎用性を確保しつつ、複数の遊技機の演出タイミングがずれてしまうような事態を防止することができる。
【手続補正書】
【提出日】平成21年12月1日(2009.12.1)
【手続補正１】
【補正対象書類名】特許請求の範囲
【補正対象項目名】全文
【補正方法】変更
【補正の内容】
【特許請求の範囲】
【請求項１】
被写体を透過した放射線を検出することにより放射線画像データを生成する画像データ生成部と、該画像データ生成部により生成された放射線画像データを送信する送信部と、を有する可搬型である複数の放射線画像検出装置と、
前記複数の放射線画像検出装置の中から特定の放射線画像検出装置を選択する選択手段を有する複数の制御装置と、
を含んで構成され、前記複数の放射線画像検出装置と前記複数の制御装置とがそれぞれネットワークにより接続された放射線画像撮影システムであって、
前記複数の放射線画像検出装置は、それぞれ制御部と発光部を備え、
前記制御装置の選択手段により選択された前記特定の放射線画像検出装置の制御部は、
前記特定の放射線画像検出装置を選択した前記制御装置に応じて、
前記特定の放射線画像検出装置の発光部の発光制御を行うことを特徴とする放射線画像撮影システム。
【請求項２】
前記発光制御は、発光周期を制御するものであることを特徴とする請求項１に記載の放射線画像撮影システム。
【手続補正２】
【補正対象書類名】明細書
【補正対象項目名】発明の名称
【補正方法】変更
【補正の内容】
【発明の名称】放射線画像撮影システム
【手続補正３】
【補正対象書類名】明細書
【補正対象項目名】０００８
【補正方法】変更
【補正の内容】
【０００８】
上記目的を達成するため本発明の放射線画像撮影システムは、被写体を透過した放射線を検出することにより放射線画像データを生成する画像データ生成部と、該画像データ生成部により生成された放射線画像データを送信する送信部と、を有する可搬型である複数の放射線画像検出装置と、前記複数の放射線画像検出装置の中から特定の放射線画像検出装置を選択する選択手段を有する複数の制御装置と、を含んで構成され、前記複数の放射線画像検出装置と前記複数の制御装置とがそれぞれネットワークにより接続された放射線画像撮影システムであって、前記複数の放射線画像検出装置は、それぞれ制御部と発光部を備え、前記制御装置の選択手段により選択された前記特定の放射線画像検出装置の制御部は、前記特定の放射線画像検出装置を選択した前記制御装置に応じて、前記特定の放射線画像検出装置の発光部の発光制御を行うことを特徴とする。
【手続補正４】
【補正対象書類名】明細書
【補正対象項目名】０００９
【補正方法】削除
【補正の内容】
【手続補正書】
【提出日】平成22年1月29日(2010.1.29)
【手続補正１】
【補正対象書類名】特許請求の範囲
【補正対象項目名】全文
【補正方法】変更
【補正の内容】
【特許請求の範囲】
【請求項１】
負屈折を示す媒質で形成された第１のレンズと、正の屈折率を持つ媒質で形成された第２のレンズを含むことを特徴とするレンズ系。
【請求項２】
前記負屈折を示す媒質で形成された前記第１のレンズの焦点距離の符号と、前記正の屈折率を持つ媒質で形成された前記第２のレンズの焦点距離の符号とが同じであることを特徴とする請求項１に記載のレンズ系。
【請求項３】
前記負屈折を示す媒質で形成された前記第１のレンズの焦点距離が正であり、前記正の屈折率を持つ媒質で形成された前記第２のレンズの焦点距離が正であることを特徴とする請求項２に記載のレンズ系。
【請求項４】
前記負屈折を示す媒質で形成された前記第１のレンズの焦点距離が負であり、前記正の屈折率を持つ媒質で形成された前記第２のレンズの焦点距離が負であることを特徴とする請求項２に記載のレンズ系。
【請求項５】
負屈折を示す媒質で形成された第１のレンズと、負屈折を示す媒質で形成された第２のレンズを含むことを特徴とするレンズ系。
【請求項６】
前記負屈折を示す媒質で形成された前記第１のレンズの焦点距離の符号と、前記負屈折を示す媒質で形成された前記第２のレンズの焦点距離の符号とが異なることを特徴とする請求項５に記載のレンズ系。
【請求項７】
前記負屈折を示す媒質で形成された前記第１のレンズの焦点距離が正であり、前記負屈折を示す媒質で形成された前記第２のレンズの焦点距離が負であることを特徴とする請求項６に記載のレンズ系。
【請求項８】
以下の式１１７を満たすことを特徴とする請求項１〜７のいずれか一項に記載のレンズ系。
2007256929.tif 000001
ただし、
ｆTNは前記レンズ系の焦点距離、
ｆiは第ｉ番目のレンズの焦点距離、
νiは第ｉ番目のレンズのアッベ数、
Ｎは前記レンズ系に含まれるレンズの枚数、である。
【請求項９】
前記負屈折を示す媒質が完全結像の性質を示す媒質であることを特徴とする請求項１または５に記載のレンズ系。
【請求項１０】
前記負屈折を示す媒質がフォトニック結晶であることを特徴とする請求項１または５に記載のレンズ系。
【請求項１１】
前記負屈折を示す媒質としてフォトニック結晶を用い、かつ当該フォトニック結晶の回転対称性の最も良い軸が前記光学系の光軸方向を向いていることを特徴とする請求項１０に記載のレンズ系。
【請求項１２】
前記負屈折を示す媒質が式（５−８）を満たすことを特徴とする請求項１〜７のいずれか一項に記載のレンズ系。
−８．０≦ε’≦−０．２                    …式（５−８）
ただし、ε’＝ε／εｃであり、
εは、前記負屈折を示す媒質の誘電率、
εｃは、前記レンズの周囲の媒質の誘電率、である。
【請求項１３】
前記負屈折を示す媒質で形成されたレンズの厚さが式（１５−２）、（１６−２）、（１７）、（１８）のいずれかを満たすことを特徴とする請求項１〜７のいずれか一項に記載のレンズ系。
０．１ｍｍ≦ｔ’≦３００ｍｍ                …式（１５−２）
０．０１ｍｍ≦ｔ’≦３００ｍｍ              …式（１６−２）
１１００ｎｍ≦ｔ’≦２００ｍｍ              …式（１７）
３０ｎｍ≦ｔ’≦５０ｍｍ                    …式（１８）
ただし、ｔ’は、前記負屈折を示す媒質で形成された前記レンズの厚さである。
【請求項１４】
前記負屈折を示す媒質の屈折率が式１４２を満たすことを特徴とする請求項１〜７のいずれか一項に記載のレンズ系。
−１０≦ｎｓ≦−０．１    ・・・式１４２
ただし、ｎｓは、負屈折を示す媒質の真空に対する屈折率、である。
【手続補正２】
【補正対象書類名】明細書
【補正対象項目名】００１８
【補正方法】変更
【補正の内容】
【００１８】
また、本発明の好ましい態様によれば、前記負屈折を示す媒質で形成された前記第１のレンズの焦点距離が正であり、前記負屈折を示す媒質で形成された前記第２のレンズの焦点距離が負であることが望ましい。
また、本発明の好ましい態様によれば、以下の式１１７を満たすことが望ましい。
2007256929.tif 000002
ただし、
ｆTNはレンズ系の焦点距離、
ｆiは第ｉ番目のレンズの焦点距離、
νiは第ｉ番目のレンズのアッベ数、
Ｎはレンズ系に含まれるレンズの枚数、である。
また、本発明の好ましい態様によれば、負屈折を示す媒質が完全結像の性質を示す媒質であることが望ましい。
また、本発明の好ましい態様によれば、負屈折を示す媒質がフォトニック結晶であることが望ましい。
また、本発明の好ましい態様によれば、負屈折を示す媒質としてフォトニック結晶を用い、かつ当該フォトニック結晶の回転対称性の最も良い軸が光学系の光軸方向を向いていることが望ましい。
また、本発明の好ましい態様によれば、負屈折を示す媒質が式（５−８）を満たすことが望ましい。
−８．０≦ε’≦−０．２                    …式（５−８）
ただし、ε’＝ε／εｃであり、
εは、負屈折を示す媒質の誘電率、
εｃは、レンズの周囲の媒質の誘電率、である。
また、本発明の好ましい態様によれば、負屈折を示す媒質で形成されたレンズの厚さが式１５−２、１６−２、１７、１８のいずれかを満たすことが望ましい。
０．１ｍｍ≦ｔ’≦３００ｍｍ                …式（１５−２）
０．０１ｍｍ≦ｔ’≦３００ｍｍ              …式（１６−２）
１１００ｎｍ≦ｔ’≦２００ｍｍ              …式（１７）
３０ｎｍ≦ｔ’≦５０ｍｍ                    …式（１８）
ただし、ｔ’は、負屈折を示す媒質で形成されたレンズの厚さである。
また、本発明の好ましい態様によれば、負屈折を示す媒質の屈折率が式１４２を満たすことが望ましい。
−１０≦ｎｓ≦−０．１    ・・・式１４２
ただし、ｎｓは、負屈折を示す媒質の真空に対する屈折率、である。